(57)【要約】【課題】身体の接触部位が痛くならないようにする。ゴム磁石シートが裂けてバラバラにならないようにする。【解決手段】ゴム磁石シート１と、その片面に貼り付けて同シート１を補強する綿布２とよりなる補強ゴム磁石シート。【選択図】　　　　図２
2004121536.tif 000002
【特許請求の範囲】
【請求項１】
ゴム磁石シートと、少なくともその片面に貼り付けて同シートの補強をする補強シートとよりなる補強ゴム磁石シート。
【請求項２】
前記補強シートが、木綿、麻、絹、若しくは化学繊維を素材とする布、和紙、畳表、又は皮革である請求項１記載の補強ゴム磁石シート。
【発明の詳細な説明】
【０００１】
【発明の属する技術分野】
この発明は、人体の血行をよくし、肩のこりをほぐす補強ゴム磁石シートに関するものである。
【０００２】
【従来の技術】
従来この種のシートとしては、磁気プレートが知られている（例えば、特許文献１参照）。
【０００３】
この磁気プレートは、プレート本体に大径穴と小径穴の間に段部のある段付き穴を多数設け、各穴の大径穴に板状磁石を嵌めてその一部を小径穴からプレート本体の表側に表出させ、しかるのち、プレート本体の裏面に磁石脱落防止用シールを貼り着けたものである。
【０００４】
従来の磁気プレートは、上述のような構成となっていて、磁石部分がやや隆起していて凹凸があり、触感がゴツゴツとしている。このため敷布や座ぶとんなどの全体重のかかる敷物には適していない。体重による負荷がかかると、身体の磁気プレートとの接触部位が痛くなるためである。
【０００５】
このような理由で、従来の磁気シートは、専ら磁気まくらカバー、磁気ベルト、磁気サポーターなどの医療用具として使用されている。これらの着用部位は、後頭部、腰、ひじなどの人体による負荷が大きくかからない部位であるため、磁気シートを長時間着用しても、余り痛く感じないし、感じても許容範囲のものである、というのがその理由である。
【０００６】
また、従来の磁気プレートは、構造が複雑で部品点数も多いので、加工工数も増えコスト高につく。その上、一旦、汚れると、その除去が充分にできず、清潔に保てない。
【０００７】
このような従来の磁気プレートの問題点を解決するには、全体重がかかっても、身体の接触部位が痛くならないゴム磁石シートを使用すればよい。
【０００８】
ゴム磁石シートは、粉体ないし粒体のフェライト磁石とゴムを混合し、厚さ１〜２ｍｍの板状に成形したものであるので、適当な柔軟性もあり、比較的安価であり、拭けば汚れも取れるので清潔に保つことができ、実用的である。
【０００９】
【特許文献１】
特開２００１−３７８９０号公報（第３―４頁、図１、図２）
【００１０】
【発明が解決しようとする課題】
しかし、ゴム磁石シートは、敷布や座ぶとんなどの全体重のかかる敷物として使用していると、体重による負荷で縦、横、斜めにひび割れが起き、ついには裂けてバラバラになる。
【００１１】
この発明は、このような従来の問題点に着目してなされたもので、全体重のかかる敷布、座ぶとんなどの敷物又はカバーとして長期間使用してもゴム磁石シートが裂けてバラバラになるおそれがなく、身体の接触部位が痛くなく、汚れをとり易く、かつ安価な補強ゴム磁石シートを提供することを目的とする。
【００１２】
【課題を解決するための手段】
この発明が提供する補強ゴム磁石シートは、ゴム磁石シートと、少なくともその片面に貼り付けて同シートの補強をする補強シートとよりなるものである。
【００１３】
ここにいう補強シートは、木綿、麻、絹、若しくは化学繊維を素材とする布、和紙、畳表、又は皮革である。
【００１４】
【発明の実施の形態】
以下、この発明の実施の形態を実施例によって説明する。
【００１５】
【実施例１】
実施例１は、ふとんの上に敷く医療用の敷布Ｓ１として使用できる補強ゴム磁石シートの例である。この敷布Ｓ１は、図１及び図２に示すように、幅９０ｃｍ、長さ２ｍ、厚さ１ｍｍのゴム磁石シート１の全面に綿布２を蛋白系の接着剤で接着したものである。
【００１６】
綿布はゴム磁石シートの全面に被せないで、図３に示す敷布Ｓ２のように、綿布３をゴム磁石シート１の表面に接着し、周囲の縁を折り曲げて裏面に接着してもよい。
【００１７】
敷布Ｓ１、Ｓ２は、上述のように、ゴム磁石シート１が綿布２、３によって補強されているので、ふとんの上に敷いて使用しても、痛くなく、人の体重でシートが裂けて分離するおそれがない。また、ゴム磁石シートに綿布を接着するだけであるので、安価であるし、汚れても洗浄し易いので、必要の都度洗浄することによって、常時、清潔に保つことができる。
【００１８】
なお、実施例１では、ゴム磁石シートの補強シートとして綿布を使用したが、このほかに、麻、絹、化学繊維を素材とする布、又は和紙を使用することができる。
【００１９】
また、ゴム磁石シートの補強シートとして、模様のある柄ものシートを使用することもできる。柄もののシートであれば、例えば、座ぶとんのカバーとして使用するのに適している。
【００２０】
【実施例２】
実施例２は、ふとんの上に敷く医療用の敷ゴザＳ３として使用できるだけでなく、床の上に敷く医療用の敷物としても使用できる補強ゴム磁石シートの例である。
【００２１】
この敷ゴザＳ３は、図４及び図５に示すように、幅９０ｃｍ、長さ１ｍ８０ｃｍ、厚さ１ｍｍのゴム磁石シート４の表面に、幅９０ｃｍ、長さ２ｍ２０ｃｍの畳表５を蛋白系の接着剤で接着し、幅方向両側縁に縁６を縫い付けたものである。
【００２２】
敷ゴザＳ３は、上述のように、ゴム磁石シート４が畳表５によって補強された構造となっているので、夏などにふとんの上に敷いて使用しても、痛くなく、人の体重でゴム磁石シート４が裂けて分離するおそれがない。また、ゴム磁石シート４に畳表５を貼り付けるだけであるので、コストもかからないし、汚れても拭き取ることができるので、常に清潔に保つことができる。
【００２３】
敷ゴザＳ３は、ふとんの上に敷くだけでなく、床の上に敷くカーペットとしても使用できる。また、ゴム磁石シートに畳表を貼り付けた補強ゴム磁石シートは、裁断と縫い合せによって座ぶとんのカバーとしても使用できる。
【００２４】
実施例２では、ゴム磁石シートに畳表を直接貼り付けたが、両者の間に、布などの補強シートを介在させて接着し、さらに強度アップを図ることができる。
【００２５】
【その他の実施例】
このほかに、図示しないが、サンダルやスリッパの台、あるいは靴の中底には、表装材として、ゴム磁石シートの片面又は両面に皮革、ビニールシート、織物などを接着したものを使用できる。
【００２６】
また、靴の中敷きにも、同様のものを使用できる。
【００２７】
このような構成の補強ゴム磁石シートであれば、人の全体重がかかっても、足の裏は痛くないし、ゴム磁石シートが裂けてバラバラに分離するおそれがないからであり、その上、清浄も簡単にできるからである。
【００２８】
【発明の効果】
以上説明したように、この発明の補強ゴム磁石シートによれば、ゴム磁石シートを補強シートで補強する構成としたので、次の効果を得ることができる。
【００２９】
（１）人の全体重がかかっても痛く感じないので、敷布や座ぶとんなどの敷物として使用できる。
【００３０】
（２）人の全体重がかかる敷布や座ぶとんなどに使用しても、ゴム磁石シートが裂けてバラバラになるおそれがなく、長期間利用できる。
【００３１】
（３）汚れをとり易く、常時、清潔に保てる。
【００３２】
（４）製造コストが余りかからず安価である。
【図面の簡単な説明】
【図１】実施例１の敷布の斜視図
【図２】図１のＡ−Ａ断面拡大図
【図３】実施例１の敷布の変形例を示す断面図
【図４】実施例２の敷ゴザの斜視図
【図５】図４のＢ−Ｂ断面図
【符号の説明】
Ｓ１、Ｓ２　敷布
Ｓ３　敷ゴザ
１、４　ゴム磁石シート
２、３　綿布
５　畳表
６　縁
【図１】
2004121536.tif 000003
【図２】
2004121536.tif 000004
【図３】
2004121536.tif 000005
【図４】
2004121536.tif 000006
【図５】
2004121536.tif 000007